(57)【要約】      （修正有）【課題】腰回りを露出することがなく、また、着用者のサイズに応じてふんどしの前垂れの位置を適宜位置決めすることができ、しかも脚部の動きの自由度を確保することができるクラシカルパンツを提供する。【解決手段】クラシカルパンツ１０は、腰回りを被うスカート部１１と、スカート部１１の上端部に形成された上端伸縮部１２と、一端部がスカート部１１の後側上端部に着脱自在に取り付けられた細長形状のふんどし本体部１３と、スカート部１１の前側上端部内面に取り付けられふんどし本体部１３の位置決め部材と、を備え、スカート部１１の左右両側にはスリット１１Ｃが設けられている。【選択図】図１
0003212971.tif 000002
【実用新案登録請求の範囲】
【請求項１】
ふんどしタイプのクラシカルパンツにおいて、腰回り及びその下部を被うスカート部と、上記スカート部の上端部に全周に亘って取り付けられ且つ上記スカート部の着用時に上記腰回りに上記上端部を伸縮自在に密着させる伸縮部材と、一端部が上記スカート部の後側上端部内面に取り付けられ且つ他端部が自由端として形成された細長形状のふんどし本体部と、上記スカート部の前側上端部内面に取り付けられ且つ上記ふんどし本体部の上記自由端を前垂れとして位置決めする位置決め部材と、を備え、上記スカート部の左右両側には上記スカート部の下端から上方に向かうスリットがそれぞれ設けられていることを特徴とするクラシカルパンツ。
【請求項２】
上記ふんどし本体部の上記一端部が上記スカート部の後側上端部内面に着脱自在に取り付けられていることを特徴とする請求項１に記載のクラシカルパンツ。
【考案の詳細な説明】
【技術分野】
【０００１】
本考案は、ふんどしタイプのクラシカルパンツに関し、更に詳しくは、ふんどしの機能性を維持すると共にふんどしとしての下半身の露出を抑えてスマートな外観を呈するクラシカルパンツに関するものである。
【背景技術】
【０００２】
例えば男性用のパンツであるブリーフは腰回り及び臀部、大腿部に密着するため、股間部での通気性が悪い上に陰嚢が股間部の左右のいずれかに偏って安定しない。これに対して、古くから使用されているふんどし、例えば越中ふんどしは、腰回りの長さに合わせた腰ひもと、腰ひもに一端が取り付けけられ他端が自由端になった細長形状のふんどし本体部とからなっている。越中ふんどしを着用する場合には、腰ひもの両端を腰回りの前側で結んで腰ひもで腰回りを締める。次いで、ふんどし本体部の自由端を引き上げてふんどし本体部によって股間部を被った後、腰回りの前側で腰ひもと腰回りの間からふんどし本体の自由端を引き出して前垂れを形成し、越中ふんどしの着用を終了する。
【０００３】
越中ふんどしは、股間部だけがふんどし本体部によって被覆され、その他の大腿部が露出したままである。そのため、越中ふんどしは、ブリーフ等とは異なり、大腿部が露出しているため股間部の通気性が良く、股間部が蒸れることはなく、開放感がある。また、ふんどし本体部の幅方向中央に陰嚢が収まるため陰嚢の収まりも安定している。陰嚢は、身体本体から突出しているため、本来体温より常に低い温度に維持され、低い温度で良好な男性機能を維持する構造になっていると云われている。この点、越中ふんどし等のふんどしは、一般的に上述のように股間部の通気性が良いため、男性機能を維持する上でもブリーフ等のパンツより優れている。
【０００４】
ふんどしは、上述のように通気性が良く、開放感があり、男性機能を良好に維持するためにも優れているため、現在でも根強いふんどし愛好家が多く存在している。デザインも旧来のもののみならず、現状に合わせた種々のデザインが普及している。また、男性用のふんどしのみならず、女性の下着としてもっこふんどし等が普及している。もっこふんどしは、股間部を被覆する大きさに形成されたふんどし本体部と、ふんどし本体部の両端部に形成された通し孔に通された腰ひもとからなっている。もっこふんどしを着用する場合には、ふんどし本体部で股間部を被い、腰ひもを腰回りに回して腰ひもの両端部を腰回りで結ぶようになっている。
【０００５】
従来のふんどしは、上述のように通気性、開放感があって下着として人体に優しく、下着として優れているが、ふんどし本体部で被った部分以外は露出しているため、例えば室内でズボン等を脱いでふんどしのままでいると、身体の露出部分が多くて恥ずかしい思いをし、また、そのまま動き回るとふんどし本体部が弛んでふんどし本体部と股間部の間に隙間ができ、側方から陰部が丸見えになることがあり、非常に恥ずかしい思いをする。そのため、往々にしてふんどしが敬遠されがちである。
【０００６】
そこで、例えば特許文献１には、ふんどし本体部の両側縁にギャザーなどの遮蔽部材を設けたふんどしが提案されている。このふんどしの場合には、室内でふんどしのまま動き回ってふんどし本体部に弛みができ、ふんどし本体部と股間部の間に隙間ができてもギャザー等の遮蔽部材によって内部を外部から遮蔽し、恥ずかしい思いをすることがない。また、特許文献２には、褌一体型もしくは非一体型の一枚または複数枚の褌用外装体をひとつに組み合わせて着用し、前垂れと外装体とでスカートのような外観を形成した、カバー付き褌が提案されている。この褌の場合には外装体によって腰回りを被っているため、従来のふんどしのように褌が弛んでも前垂れと外装体によって腰回りを露出しないため、褌が弛んでも前垂れと外装体によって内部が見えず、恥ずかしい思いをすることがない。
【０００７】
【特許文献１】実用新案登録第３１１８８８２号
【特許文献２】実用新案登録第３１７７８９５号
【考案の概要】
【考案が解決しようとする課題】
【０００８】
しかしながら、特許文献１に記載のふんどしは、ふんどし本体部と股間部の間に弛みができてもギャザーによって内部が見えないようになっていてもふんどし本体部で被われた部分以外は全て露出しているため、依然として露出部が多く、ふんどし着用による恥ずかしさが解消されることはない。
【０００９】
また、特許文献２に記載のカバー付き褌は、外装体と前垂れによって腰回りを被っているため、上述のような腰回りの露出による恥ずかしい思いをすることはないが、この褌の場合には腰ひもを結ぶことにより腰ひもから垂れた外装体で腰回りを被うと共に腰ひもの結び目からの前垂れで外装体の前にできる隙間を被うようにしているため、身体の動きで前垂れが捲れて外装体の隙間から股間部が露出し、恥ずかしい思いをすることがあり、また、身体の動きで褌が弛み、褌と股間部との間に隙間ができ、外装体が捲れた場合に恥ずかしい思いをすることがある。
【００１０】
本考案は、上記課題を解決するためになされたもので、腰回り及びその下部を露出することがなく、また、着用者のサイズに応じてふんどしの前垂れの位置を適宜位置決めしてふんどしを安定的に着用しふんどし本体部の弛みを防止することができ、しかも脚部の動きの自由度を確保することができるクラシカルパンツを提供することを目的としている。
【課題を解決するための手段】
【００１１】
本考案の請求項１に記載のクラシカルパンツは、ふんどしタイプのクラシカルパンツにおいて、腰回り及びその下部を被うスカート部と、上記スカート部の上端部に全周に亘って取り付けられ且つ上記スカート部の着用時に上記腰回りに上記上端部を伸縮自在に密着させる伸縮部材と、一端部が上記スカート部の後側上端部内面に取り付けられ且つ他端部が自由端として形成された細長形状のふんどし本体部と、上記スカート部の前側上端部内面に取り付けられ且つ上記ふんどし本体部の上記自由端を前垂れとして位置決めする位置決め部材と、を備え、上記スカート部の左右両側には上記スカート部の下端から上方に向かうスリットがそれぞれ設けられていることを特徴とするものである。
【００１２】
また、本考案の請求項２に記載のクラシカルパンツは、請求項１に記載の考案において、上記ふんどし本体部の上記一端部が上記スカート部の後側上端部内面に着脱自在に取り付けられていることを特徴とするものである。
【考案の効果】
【００１３】
本考案によれば、腰回り及びその下部を露出することがなく、また、着用者のサイズに応じてふんどしの前垂れの位置を適宜位置決めしてふんどしを安定的に着用しふんどし本体部の弛みを防止することができ、しかも脚部の動きの自由度を確保することができるクラシカルパンツを提供することができる。
【図面の簡単な説明】
【００１４】
【図１】本考案のクラシカルパンツの一実施形態の着用時の様子を示す斜視図図である。
【図２】図1に示すクラシカルパンツを展開して示す平面図である。
【図３】本考案のクラシカルパンツの他の実施形態を展開して示す平面図である。
【考案を実施するための形態】
【００１５】
本実施形態のクラシカルパンツ１０は、例えば図１に示すように、腰回り及びその下部（臀部、太腿を含む）を被うスカート部１１と、スカート部１１の上端部に全周に亘って取り付けられた伸縮部材（例えば、平ゴム）１２と、一端部がスカート部１１の後側上端部に着脱自在に取り付けられ且つ他端部が自由端として形成された細長形状のふんどし本体部１３と、スカート部１１の前側上端部内面に取り付けられてふんどし本体部１３を位置決めする位置決め部材１４（図２参照）と、を備え、スカート部１１の左右両側にはスカート部１１の下端から上方に向かうスリット１１Ｃが設けられている。平ゴム１２は胴回りの寸法に合わせて適切な長さになっている。
【００１６】
平ゴム１２は、例えばスカート部１１の上端部全周に亘って形成された通し孔に通して取り付けられ、通し孔の一部にある孔から両端を引き出して結ぶことにより、スカート部１１の上端部を伸縮自在にしている。スカート部１１の伸縮自在な上端部を、以下では上端伸縮部１２と称す。尚、平ゴム１２はスカート部１１の上端部に縫い付けられていても良い。伸縮部材は、平ゴムに制限されるものではなく、種々の形態のゴム等の伸縮自在な素材を用いることができる。
【００１７】
スカート部１１は、図１、図２に示すように、腰回りの後側になる背面部１１Ａと腰回りの前側になる正面部１１Ｂとが筒状に一体化しており、上端伸縮部１２が自由に伸縮してクラシカルパンツ１０として穿きやすくなっている。従って、着用していない時には、上端伸縮部１２はその下方の部分よりも縮径した状態にあり、着用時には上端伸縮部１２が伸びて腰回りに密着する。スカート部１１の背面部１１Ａと正面部１１Ｂの境界部分に上下方向のスリット１１Ｃが形成されている。これらのスリット１１Ｃは、スカート部１１の下端から上方に例えば１／３程度の長さに設定されている。このように左右にスリット１１Ｃを設けることによりクラシカルパンツ１０を着用した時に、両大腿部に対する拘束力を意識することなく両大腿部を自由に動かせることができる。スカート部１１は、例えば木綿、絹、麻などの一般的に下着用として使用されている素材を用いることができ、素材としては伸縮性のある織り方のしてある生地が好ましい。スカート部１１としては、例えば薄地のものが好ましい。
【００１８】
スカート部１１の背面部１１Ａには上端伸縮部１２に沿ってふんどし本体部１３の一端部が例えばスナップボタン等のボタンや面ファスナー等の取付部材１５を介して着脱自在に取り付けられている。例えば図１、図２では取付部材１５としてスナップボタンが示されている。以下では、取付部材１５をスナップボタン１５として説明する。スナップボタン１５は雄部材と雌部材とを有し、雄部材と雌部材が接合されて一体化してふんどし本体部１３の一端部をスカート部１１に取り付けるようになっている。例えばスナップボタン１５の雌部材はスカート部１１の背面部１１Ａの上端伸縮部１２に隣接させて所定間隔を空けて３個取り付けられ、スナップボタン１５の雄部材はふんどし本体部１３の一端部に幅方向に所定間隔を空けて３個取り付けられている。そして、ふんどし本体部１３をスカート部１１に取り付ける場合には、スカート部１１の雌部材とふんどし本体部１３の雄部材を接合することによってスカート部１１とふんどし本体部１３を着脱自在に一体化することができる。また、取付部材１５としてボタンを使用する場合にはボタンホールをスカート部１１側に設けることが好ましい。ふんどし本体部１３は、上述のようにスカート部１１に対して着脱自在に取り付けられたものの他、ふんどし本体部１３の一端部がスカート部１１の背面部１１Ａに縫い付けられるなど、接続固定されたものであっても良いことは云うまでもない。
【００１９】
ふんどし本体部１３は、図１、図２に示すように、背面領域１３Ａと、正面領域１３Ｂと、これら両者間に介在する股間領域１３Ｃと、スカート部１１の正面側に引き出される自由端を含む前垂れ領域１３Ｄとから形成され、背面領域１３Ａ、股間領域１３Ｃ及び正面領域１３Ｂによって股間部を被うように形成されている。従って、スカート部１１は、図１に示すように、内側がふんどし本体部１３によって二分され、ふんどし本体部１３の左右の空間に左右の大腿部が納まるようになっている。ふんどし本体部１３の素材としては、スカート部１１として用いられる素材を用いることができ、スカート部１１と同一の素材を用いても、異なる素材を用いても良い。
【００２０】
ふんどし本体部１３の自由端は、図１に示すように筒状のスカート部１１の前側上端伸縮部１２の内側から外側へ引き出され、引き出された前垂れ領域１３Ｄによって前垂れが形成される。自由端をスカート部１１から引き出す長さは、使用者によって微妙に異なる。
【００２１】
そこで、本実施形態では、使用者の寸法に応じて自由端の引き出し寸法を設定できるようになっている。即ち、スカート部１１の正面部１１Ｂの上端伸縮部１２内面には、図２に示すように位置決め部材１４が取り付けられている。位置決め部材１４は、ふんどし本体部１３と接触することによりふんどし本体部１３をその位置に固定し、上下左右方向への位置ズレを防止する滑り止め部材によって形成されている。従って、図１に示すようにふんどし本体部１３の自由端をスカート部１１の内部から引き出し、ふんどし本体部１３の正面領域１３Ｂが位置決め部材１４と接触することにより、ふんどし本体部１３が前垂れ領域１３Ｄの上下寸法が決まり、着用者に即した前垂れを形成して位置決めされ、固定される。ふんどし本体部１３は、このように固定されるため、その後に動き回ってもふんどし本体部１３は安定して弛むことなく、ふんどし本体部１３と股間部の間に隙間を生じることがなく、着用時に恥ずかしい思いをすることがない。
【００２２】
位置決め部材１４として使用される滑り止め部材は、布間の滑り止めとして用いられる滑り止めシート、滑り止めテープあるいは滑り止めパッチ等のように従来公知の滑り止め部材を用いることができ、特定の滑り止め部材に制限されるものではない。滑り止めシートや滑り止めテープは、いずれも使用に適した大きさに切断して使用される。
【００２３】
本実施形態のクラシカルパンツ１０を着用する場合には、まず、例えば、スカート部１１の上端伸縮部１２を広げ、両足をスカート部１１内に入れてスカート部１１を穿く。次いで、両脚の間からふんどし本体部１３の自由端を引き上げてふんどし本体部１３の背面領域１１Ａ、股間領域１３Ｃ及び正面領域１３Ｂによって股間部を被い、自由端をスカート部１１の前側上端伸縮部１２の内側から外側へ引き出してふんどし本体部１３を股間部との間に弛みがないように密着させ、着用者に即した寸法を有する前垂れ領域１３Ｄによって前垂れを形成する。この時点で、ふんどし本体部１３の正面領域１３Ｂが位置決め部材１４を介してスカート部１１に位置決め、固定され、クラシカルパンツ１０の着用を終了する。
【００２４】
従って、本実施形態によれば、ふんどし本体部１３が位置決め部材１４を介してスカート部１１に固定されるため、着用者が動き回ってもふんどし本体部１３が弛むことがなく、ふんどし本体部１３と股間部の間に隙間を生じることがない。しかも、スカート部１１によって腰回り及び臀部、大腿部が被覆されて外側から股間部が見えないため、大腿部を露出した従来のふんどしのように恥ずかしい思いをすることがない。また、スカート部１１の左右の下端にはスリット１１Ｃが形成されているため、大腿部が拘束力を感じることなく、両脚を全方向に自由に動かすことができる。また、スカート部１１の上端が上端伸縮部１２として形成されているため、腰ひもによって腰回りを締める場合と比較して、クラシカルパンツ１０を簡単に着脱することができ、しかも運動による位置ズレも容易に直すことができる。
【００２５】
また、ふんどし本体部１３がスカート部１１に対して着脱自在になっているため、ふんどし本体部１３とスカート部１１を個別の素材（繊維）によって形成することができ、それぞれの素材を適宜選択することができる。例えば、スカート部１１とふんどし本体部１３の双方とも同じ素材、例えば木綿生地によって形成することができる。また、スカート部１１を絹によって形成し、ふんどし本体部１３を木綿によって形成することもできる。スカート部１１を絹によって形成することにより、ズボン等の中に穿いてもごわごわ等の違和感なく着用することができる。
【００２６】
図３は本考案の他の実施形態を示す図で、本実施形態ではふんどし本体部の構造を異にする以外は上記実施形態に準じて構成されている。そこで、本実施形態でも上記実施形態と同一または相当部分には同一符号を付して本実施形態の特徴についてのみ説明する。。
【００２７】
本実施形態では、図３に示すようにふんどし本体部１３の股間領域１３Ｃから正面領域１３Ｂに亘ってパッド領域１３Ｃ１が形成されている。このようにパッド領域１３Ｃ１を設けることによって尿漏れを防止することができる。従って、パッド領域１３Ｃ１はふんどし本体部１３と同一素材を複数層重ねて形成されたものであっても、吸水率の高い素材によって形成されたものであっても良い。
【００２８】
本実施形態によれば、尿漏れ等があってもパッド領域１３Ｃ１によって外部への尿漏れを防止することができる他、上記実施形態と同様の作用効果を期することができる。
【００２９】
本実施形態は、上記実施形態に何ら制限されるものではなく、必要に応じて各構成要素を適宜設計変更することができる。
【産業上の利用可能性】
【００３０】
本考案のクラシカルパンツは、男女の下着業界で広く利用することができる。
【符号の説明】
【００３１】
１０    クラシカルパンツ
１１    スカート部
１１Ｃ  スリット
１２    上端伸縮部(平ゴム：伸縮部材)
１３    ふんどし本体部
１４    位置決め部材
１５    スナップボタン（取付部材）
【図１】
0003212971.tif 000003
【図２】
0003212971.tif 000004
【図３】
0003212971.tif 000005